(57)【要約】【課題】撮像装置本体の温度上昇を効率よく抑制することが可能な撮像装置を提供すること。【解決手段】撮像装置本体に対して少なくとも１軸周りに回動可能に連結され、撮像に関する情報を表示する表示部６０１を有する表示ユニット６００を備えた撮像装置において、前記表示ユニット６００が、表示部の表示側と逆方向へ空気を排出する空冷用ファン６０８とを備えていることを特徴としている。【選択図】図４
2020031285.tif 000002
【特許請求の範囲】
【請求項１】
撮像装置本体に対して少なくとも１軸周りに回動可能に連結され、撮像に関する情報を表示する表示部６０１を有する表示ユニット６００を備えた撮像装置において、前記表示ユニット６００が、表示部の表示側と逆方向へ空気を排出する空冷用ファン６０８とを備えていることを特徴とする撮像装置。
【請求項２】
前記空冷用ファン６０８を備えた前記表示ユニット６００において、前記空冷用ファン６００を狭持して複数の穴部６０４、６０５を備えていることを特徴とする請求項１に記載の撮像装置。
【請求項３】
前記撮像装置本体にマイク４００を配置していることを特徴とする請求項１又は請求項２に記載の撮像装置。
【発明の詳細な説明】
【技術分野】
【０００１】
本発明は、空冷用ファンを備え、空冷用ファンによって、撮像装置本体を冷却するようにした撮像装置に関する。
【背景技術】
【０００２】
撮像装置に用いられる撮像素子であるＣＣＤやＣＯＭＳセンサー等の撮像素子は、それ自体が発熱しやすく、また、高温になると画質ノイズが増加するという性質がある。また、現在、撮像装置は動画撮影可能なものが主流となっており、撮像素子だけでなく、内部回路基板上に実装される電子部品の温度上昇が非常に高くなってきている。電子部品の温度上昇は電子部品の誤動作の原因につながるばかりでなく、撮像装置本体の高温化につながり、使用者に不快感を与えてしまうことが懸念される。
【０００３】
そこで、撮像装置本体の温度上昇を抑制するために、撮像装置本体に、回動可能に連結された表示部の筺体内に交換可能な冷却部材を収納し、冷却部材と撮像装置本体を熱結合したものがある（特許文献参照１）。また、その他には、撮像装置内部に空冷用ファンを配置し、撮像装置内部の電子部品を空冷しているものがある（特許文献２参照）。
【先行技術文献】
【特許文献】
【０００４】
【特許文献１】特開２０１３−１２０９８６号公報
【特許文献２】特開平１１−１７７８５８号公報
【発明の概要】
【発明が解決しようとする課題】
【０００５】
しかしながら、上述の特許文献に開示された従来技術について、連続的に撮像装置を使用し、撮像装置本体と熱結合している前述の冷却部材自体の温度が上昇した場合には、冷却装置を交換する必要があり、大幅に手間がかかる。また、前述の冷却部材を交換している最中は撮像装置が使用できないため、シャッターチャンスを逃してしまう可能性がある。また、予備の冷却装置を持ち歩かなくてはいけない、という問題点も挙げられる。また、撮像装置本体に空冷用ファンを配置すると、空冷用ファンを駆動すると少なからず、振動が発生し、撮像装置本体に配置のマイクが振動によるノイズを拾ってしまう可能性がある。
【０００６】
そこで、本発明は上記課題を解決するために発明されたものであり、撮像装置本体の温度上昇時に冷却するための冷却部材を交換する必要がなく、効率よく温度上昇を抑制することが可能な撮像装置を提供する。さらには、撮像装置本体に配置されたマイクが、空冷用ファンの振動によるノイズに影響されにくい構成を備えた撮像装置を提供することを目的とする。
【課題を解決するための手段】
【０００７】
上記の目的を達成するために、本発明に係る撮像装置は、
撮像装置本体に少なくとも１軸周りに回動可能に保持され、表示パネルを備えた表示ユニットを具備した撮像装置において、前記表示装置内に配置され、前記表示パネル部の表示側と逆方向に空気を排出するファンを備えていることを特徴としている。
【発明の効果】
【０００８】
本発明に係る撮像装置によれば、撮像装置本体内部の温度上昇を抑制するために、少なくとも１軸周りに回動可能な表示装置に交換が必要な保冷部材を配置する必要がない。そのため、保冷部材などの交換の手間をかけずに、効果的に撮像装置本体の温度上昇を抑制することができる。さらには、撮影者が画角、構図を確認するパネル部と対向した方向に空気を排出するファンを配置するため、撮影者側にファンからの空気が排出されることがない。よって、撮影者に不快感を与えることなく、快適に撮影が可能となる。また、撮像装置本体内部にファンを配置しておらず、少なくとも１軸周りの回動可能な表示装置内部にファンを配置している。そのため、表示装置内から、撮像装置本体のマイク配置まで距離がある。さらには、撮像装置本体内部に空冷用ファンを配置するよりも、空冷用ファンとマイクの間には、複数の部品を介在している。故に、振動等によるノイズが発生しても、マイクに伝わるまでにノイズは減衰することになる。よって、撮像装置本体に配置されたマイクが、空冷用ファンの振動によるノイズに影響されにくい構成を備えた撮像装置を提供することができる。
【図面の簡単な説明】
【０００９】
【図１】本発明の撮像装置（正面斜視図）
【図２】（ａ）本発明の撮像装置（背面斜視図）、（ｂ）本発明の撮像装置（背面斜視図）表示ユニット１８０回転状態
【図３】（ａ）表示ユニット（撮像装置の背面斜視図）、（ｂ）表示ユニット（撮像装置の正面斜視図）
【図４】表示ユニット分解斜視図
【図５】（ａ）表示ユニット（撮像装置の背面図）、（ｂ）Ａ−Ａ断面図
【図６】本発明の撮像装置の背面側分解斜視図その１
【図７】（ａ）本発明の撮像装置（正面図）、（ｂ）Ｂ−Ｂ断面図
【発明を実施するための形態】
【００１０】
以下に、本発明を実施するための形態について、添付を参照しながら詳細に説明する。
【実施例１】
【００１１】
以下、本発明の実施例について説明する。
【００１２】
図１は本発明の実施形態である撮像装置の外観正面斜視図である。図１中の９００は撮像装置であり、２００は電源のＯＮ／ＯＦＦを操作する電源ボタンである。１００が撮影準備、及び撮影開始を指示するための操作部であるレリーズボタンである。３００はレンズ鏡筒であり、４００は本体に配置したマイクである。
【００１３】
図２（ａ）は本発明の実施形態である撮像装置の外観背面斜視図である。図２（ａ）中６００が表示ユニットであり、６０１が撮影中の画像確認、撮影後の撮影画像の確認を行う表示パネルである。本発明において、表示ユニット６０１は撮像装置本体に対して、一軸での回動可能な構成であり、図２（ｂ）の矢印Ｃ方向へ回動可能である。前記表示ユニット６００が回動角度０度の位置にある状態は図２（ａ）である。また前記表示ユニットの回動角度１８０度の位置ある状態が図２（ｂ）である。表示ユニット６００が撮像装置本体に少なくとも一軸の回動可能に構成することで様々な角度からの撮影が可能とであり、撮影領域の範囲が広がっている。
【００１４】
図３（ａ）、図３（ｂ）は、本発明の表示ユニット６００のユニット図である。図３（ａ）は撮像装置本体の背面側からみた表示ユニット６００を示している。また、図３（ｂ）は表示ユニット６００自体の背面図である。
【００１５】
図３（ａ）、図３（ｂ）において、表示パネル６０１を固定保持している保持部材が６０３である。また、６０２は撮像装置本体に対して、回動の中心軸である回動軸である。さらに、表示パネル６０１と撮像装置本体のメイン基板とを電気的に接続するヒンジフレキシブル基板が６１４である。また、図６（ｂ）中の６０６は撮像装置本体のシャーシと表示ユニット６００を固定するための固定部材である。ここで、６０７が空冷用ファンの空気排出口である。前記排出口６０７は表示パネル６０１の表示側と逆方向に空気が排出するように配置している。また、６０４、６０５は保持部材６０３の上下に設けられた穴部であり、前記空冷用ファンが可動時に空気の流れである流束をつくるための穴である。
【００１６】
図４は前記表示ユニット６００の分解斜視図（撮像装置本体からみた正面分解斜視図）である。
【００１７】
図４中、表示パネル６０１と接続されているパネルフレキシブル基板６０９は、中継基板６１０にコネクタを介して電気的に接続されている。中継基板６１０には、表示パネル６０１を駆動するための様々な電気部品が実装されている。空気排出孔６０７を備えた空冷用ファンが６０８であり、同様に前記中継基板６１０に電気的に接続している。前記表示パネル６０１は不図示の両面テープで保持部材６０３に固定されている。前記中継基板６１０と撮像装置本体のメイン基板とを電気的に接続するためのヒンジフレキシブル基板が６１４であり、前記回動軸６０２に一部を巻き付けた状態で保持される。
【００１８】
前記ヒンジフレキブル基板６１４は６１６部で中継基板６１０のコネクタと接続し、６１５部で撮像装置本体のメイン基板と接続する。６１１は前記表示パネル６０１を保持固定する保持部材６０３に６１７、６１８の複数のねじでねじ固定される第２保持部材である。第２保持部材６１１には、前記空冷用ファン６０８の空気排出孔６０７から排出された空気が通るための穴部６１２を備えている。さらに第２保持部材６１１は回動軸６０２に回動可能に保持されている。また、撮像装置本体に固定される固定部材６０６は、前記回動軸６１２の溶接等で固定されている。６１３は外観化粧カバーであり、６１９、６２０のねじで第２保持部材６１１に固定されている。
【００１９】
本発明の表示ユニット６００は、前記表示パネル６０１を保持する保持部材６０３を第２保持部材６１１にて固定し、前記第２保持部材６１１は回動軸６０２に回動可能に保持されている。そして、回動軸６０２には撮像装置本体に固定される固定部材６０６に固定されている構成である。よって、表示ユニット６００は撮像装置本体に対して、回動可能な構成である。
【００２０】
図５（ａ）は表示ユニット６００自体の背面図であり、図５（ｂ）は表示ユニット６００のＡ−Ａ断面図である。
【００２１】
図５（ｂ）のとおり、表示パネル６０１の表示側と逆方向に空気が排出するように空冷用ファン６０８を配置し、矢印Ｄ方向へ空気を排出する構成である。さらには、保持部材６１３には上部穴６０４、下部穴６０５を備えている。前記上部穴６０４、下部穴６０５があるために、前記表示ユニット６００の内部に空気の流れ（流束）が発生することになり、前記空冷用ファン６０８が駆動した場合に、外部から空気を取り込み、よりＤ方向へ冷却した空気を排出することが可能になる。
【００２２】
図６は本発明の撮像装置９００の背面部のみを分解した斜視図である。また、図７（ａ）のＢ−Ｂ断面図が図７（ｂ）である。
【００２３】
図６、図７（ｂ）において、表示ユニット６００の前面にはリアカバー８００が存在している。リアカバー８００の前面に撮像装置本体の骨格となる金属板金で形成したシャーシ９０１、さらに前面にはシャーシ９０１に不図示のねじで固定している熱伝導率の高い金属板９０２を配置している。９１０は撮像装置が作動するために必要な様々な電子部品を実装しているメイン基板である。前記電子部品９１２はメイン基板９１０に実装される電子部品であり、電子部品自体が実装する電子部品の中では、かなり高温になるものである。ここで前記電子部品９１２と常に接触し、前記電子部品９１２が発生する熱を、前記金属板９０２に熱伝導するための熱伝導部材が９０３である。前記金属板９０２は前記シャーシ９０１に固定されている。
【００２４】
前記電子部品９１２で発生した熱は、前記熱伝導部材９０３を介して、前記金属板９０２、シャーシ９０１に伝導する。そして、シャーシの近傍に配置している背面リアカバー８００にも時間の経過とともに伝導することになる。ここで、前記背面リアカバー８００の背面側には本発明の表示ユニット６００を配置している。表示ユニット６００には背面リアカバー８００に向かって空気を排出する空冷用ファン６０８が配置してある。空冷用ファン６０８から排出した空気が常に背面リアカバー８００に吹き付けることにより、背面リアカバー８００に伝導した熱による温度上昇を抑制することが可能となる。さらには、図７（ｂ）のとおり、マイク４００を撮像装置本体側の上部に配置している。そのため、空冷用ファン６０８と前記マイク４００までは距離がある。さらに前記表示ユニット６００は前述のとおり回動可能に構成しているため、撮像装置本体とは多数の部品を介在している。そのため、前記空冷用ファン６０８が可動した際に発生する振動によるノイズは、マイクに届くまでに振動自体の多くが減衰することになる。つまり、撮像装置本体内部に空冷用ファン６０８を配置するよりも、可動表示ユニット６００内に配置することで、空冷用ファン６０８から発生する振動によるノイズがマイク４００に到達する量は、大幅に軽減することができる。
【００２５】
以上、本発明の構成によれば、従来は、撮像装置本体が温度上昇した場合、撮像装置本体と熱結合している冷却部材を交換していたが、前記交換するための冷却部材自体がない構成である。しかし、冷却部材が無くても、効率よく撮像装置本体の温度上昇を抑制することが可能な構成である。さらには、撮影者が画角、構図を確認する表示パネルユニット６００の表示部６０１と逆方向に空気を排出する空冷用ファン６０８を配置するため、撮影者側に空冷用ファン６０８からの空気が排出されることがない。よって、撮影者に不快感を与えることなく、快適に撮影が可能となる。また、撮像装置本体内部に空冷用ファン６０８を配置しておらず、少なくとも１軸周りの回動可能な表示装置内部に空冷用ファン６０８を配置している。そのため表示ユニット６００から、撮像装置本体のマイク配置まで距離がある。よって、空冷用ファン６０８の振動等によるノイズ音が発生しても、撮像装置本体内部に空冷用ファンを配置するよりもマイクに伝わるノイズが減衰する構成を備えている撮像装置を提供することができる。
【００２６】
以上、本発明の好ましい実施形態について説明したが、本発明はこれらの実施形態に限定されず、その要旨の範囲内で種々の変形及び変更が可能である。
【符号の説明】
【００２７】
１００  レリーズボタン、２００  電源ボタン、３００  鏡筒レンズ、
４００  マイク、６００  表示ユニット、６０１  表示パネル、６０２  回動軸、
６０３  表示パネル保持部材、６０４  上部穴、６０５  下部穴、
６０６  本体固定板金、６０７  空冷用ファン排出孔、６０８  空冷用ファン、
６０９  表示パネルフレキシブル基板、６１０  中継基板、
６１１  第２保持部材、６１２  第２保持部材の穴部、６１３  外観化粧部品、
６１４  ヒンジフレキシブル基板、６１５  本体接続部、
６１６  表示ユニット接続部、６１７，６１８  固定ネジ、
６１９，６２０  固定ネジ、８００  背面リアカバー、９００  撮像装置本体、
９０１  シャーシ、９０２  金属板金、９０３  熱伝導部材、
９１０  メイン基板、、９１１  記録媒体コネクタ、９１２  電子部品
【図１】
2020031285.tif 000003
【図２】
2020031285.tif 000004
【図３】
2020031285.tif 000005
【図４】
2020031285.tif 000006
【図５】
2020031285.tif 000007
【図６】
2020031285.tif 000008
【図７】
2020031285.tif 000009